(57)【要約】【課題】同一電話番号による複数の携帯端末のアクセス制御を行う。【解決手段】端末情報管理装置１２０が第１携帯端末としての携帯電話１００と第２携帯端末としての携帯電話１１０から第１情報保持手段としてのＩＣカード１０３及び第２情報保持手段としてのＩＣカード１１３に保持されている電話番号と優先順位を示す情報との通知を受け取ると、携帯電話１００又は携帯電話１１０の優先順位を、優先順位を示す情報から判定し、優先順位の高い携帯電話１００又は携帯電話１１０の無線回線１３１又は１３２のリンクを確立することで、同一電話番号を有する複数の携帯電話１００，１１０が排他的に利用されるようにした。【選択図】図１
2007243860.tif 000002
【特許請求の範囲】
【請求項１】
複数の携帯端末の通信を管理する携帯端末管理システムであって、
無線回線を介してネットワークに接続される第１及び第２携帯端末と、
前記ネットワークに接続され、前記第１及び第２携帯端末のいずれか一方の前記無線回線の無線リンクを確立させる端末情報管理装置とを備え、
前記第１携帯端末は、電話番号と優先順位を示す情報とが保持された第１情報保持手段が装着可能とされ、
前記第２携帯端末は、同一の前記電話番号と優先順位を示す情報とが保持された第２情報保持手段が装着可能とされ、
前記端末情報管理装置は、前記第１及び第２携帯端末から前記電話番号と優先順位を示す情報との通知を受け取ると、前記第１及び第２携帯端末の優先順位を前記優先順位を示す情報から判定し、優先順位の高い前記第１又は第２携帯端末の前記無線回線の無線リンクを確立させる制御手段を有する
ことを特徴とする携帯端末管理システム。
【請求項２】
前記端末情報管理装置は、
前記第１及び第２携帯端末からの電話番号と優先順位を示す情報とが通知されると、これらの情報が記憶される記憶手段と、
前記制御手段により、前記記憶手段に記憶された優先順位を示す情報から判定された優先順位の高い前記第１又は第２携帯端末の位置情報が登録される位置登録手段とを有し、
前記第１又は第２携帯端末の呼び出しの際に前記位置登録手段に登録された位置情報が参照される
ことを特徴とする請求項１に記載の携帯端末管理システム。
【請求項３】
複数の携帯端末の通信を管理する携帯端末管理システムであって、
無線回線を介してネットワークに接続される第１及び第２携帯端末と、
前記ネットワークに接続され、前記第１及び第２携帯端末のいずれか一方の前記無線回線の無線リンクを確立させる端末情報管理装置とを備え、
前記第１携帯端末は、電話番号と該第１携帯端末固有の固有情報とが保持された第１情報保持手段が装着可能とされ、
前記第２携帯端末は、同一の前記電話番号と該第２携帯端末固有の固有情報とが保持された第２情報保持手段が装着可能とされ、
前記端末情報管理装置は、前記第１及び第２携帯端末から前記電話番号と固有情報との通知を受け取ると、前記第１及び第２携帯端末の優先順位を前記固有情報に関連付けられた優先順位から判定し、優先順位の高い前記第１又は第２携帯端末の前記無線回線の無線リンクを確立させる制御手段を有する
ことを特徴とする携帯端末管理システム。
【請求項４】
前記端末情報管理装置は、
前記第１及び第２携帯端末からの電話番号と固有情報とが通知されると、これらの情報が記憶される記憶手段と、
前記制御手段により、前記記憶手段に記憶された固有情報に関連付けられる優先順位から判定された優先順位の高い前記第１又は第２携帯端末の位置情報が登録される位置登録手段とを有し、
前記第１又は第２携帯端末の呼び出しの際に前記位置登録手段に登録された位置情報が参照される
ことを特徴とする請求項３に記載の携帯端末管理システム。
【請求項５】
複数の携帯端末の通信を管理する携帯端末管理システムであって、
無線回線を介してネットワークに接続される第１及び第２携帯端末と、
前記ネットワークに接続され、前記第１及び第２携帯端末のいずれか一方の前記無線回線の無線リンクを確立させる端末情報管理装置とを備え、
前記第１携帯端末は、電話番号と優先順位を示す情報又は該第１携帯端末固有の固有情報とが保持された第１情報保持手段が装着可能とされ、
前記第２携帯端末は、同一の前記電話番号と優先順位を示す情報又は該第２携帯端末固有の固有情報とが保持された第２情報保持手段が装着可能とされ、
前記端末情報管理装置は、前記第１及び第２携帯端末から前記電話番号と優先順位を示す情報又は固有情報との通知を受け取ると、前記第１及び第２携帯端末の優先順位を前記優先順位を示す情報又は前記固有情報に関連付けられた優先順位から判定し、優先順位の高い前記第１又は第２携帯端末の前記無線回線の無線リンクを確立させる制御手段を有する
ことを特徴とする携帯端末管理システム。
【請求項６】
前記端末情報管理装置は、
前記第１及び第２携帯端末からの電話番号と優先順位を示す情報又は固有情報とが通知されると、これらの情報が記憶される記憶手段と、
前記制御手段により、前記記憶手段に記憶された優先順位を示す情報又は固有情報に関連付けられる優先順位から判定された優先順位の高い前記第１又は第２携帯端末の位置情報が登録される位置登録手段とを有し、
前記第１又は第２携帯端末の呼び出しの際に前記位置登録手段に登録された位置情報が参照される
ことを特徴とする請求項５に記載の携帯端末管理システム。
【請求項７】
前記第１及び第２携帯端末は、2台以上であることを特徴とする請求項１〜６のいずれかに記載の携帯端末管理システム。
【請求項８】
通信を管理する携帯端末管理システムに接続される携帯端末であって、
無線回線を介してネットワークに接続され、電話番号と優先順位を示す情報又は携帯端末固有の固有情報とが保持される情報保持手段が装着可能とされている
ことを特徴とする携帯端末。
【請求項９】
複数の携帯端末の通信を管理する携帯端末管理方法であって、
無線回線を介してネットワークに接続される第１携帯端末から装着可能とされた第１情報保持手段に保持されている電話番号と優先順位を示す情報とが通知されるステップと、
前記無線回線を介してネットワークに接続される第２携帯端末から装着可能とされた第２情報保持手段に保持されている同一の前記電話番号と優先順位を示す情報とが通知されるステップと、
前記ネットワークに接続される端末情報管理装置により、前記第１及び第２第携帯端末から前記電話番号と優先順位を示す情報との通知を受け取ると、前記第１及び第２携帯端末の優先順位を前記優先順位を示す情報から判定し、優先順位の高い前記第１又は第２携帯端末の前記無線回線の無線リンクを確立させるステップとを有する
ことを特徴とする携帯端末管理方法。
【請求項１０】
前記第１及び第２携帯端末からの電話番号と優先順位を示す情報とが通知されると、これらの情報が記憶されるステップと、
前記記憶された優先順位を示す情報から判定された優先順位の高い前記第１又は第２携帯端末の位置情報が登録されるステップとを有し、
前記第１又は第２携帯端末の呼び出しの際に前記登録された位置情報が参照される
ことを特徴とする請求項９に記載の携帯端末管理方法。
【請求項１１】
複数の携帯端末の通信を管理する携帯端末管理方法であって、
無線回線を介してネットワークに接続される第１携帯端末から装着可能とされた第１情報保持手段に保持されている電話番号と該第１携帯端末固有の固有情報とが通知されるステップと、
前記無線回線を介してネットワークに接続される第２携帯端末から装着可能とされた第２情報保持手段に保持されている同一の前記電話番号と該第２携帯端末固有の固有情報とが通知されるステップと、
前記ネットワークに接続される端末情報管理装置により、前記第１及び第２第携帯端末から前記電話番号と固有情報との通知を受け取ると、前記第１及び第２携帯端末の優先順位を前記固有情報に関連付けられた優先順位を示す情報から判定し、優先順位の高い前記第１又は第２携帯端末の前記無線回線の無線リンクを確立させるステップとを有する
ことを特徴とする携帯端末管理方法。
【請求項１２】
前記第１及び第２携帯端末からの電話番号と固有情報とが通知されると、これらの情報が記憶されるステップと、
前記記憶された固有情報に関連付けられる優先順位を示す情報から判定された優先順位の高い前記第１又は第２携帯端末の位置情報が登録されるステップとを有し、
前記第１又は第２携帯端末の呼び出しの際に前記位置登録手段に登録された位置情報が参照される
ことを特徴とする請求項１１に記載の携帯端末管理方法。
【請求項１３】
複数の携帯端末の通信を管理する携帯端末管理方法であって、
無線回線を介してネットワークに接続される第１携帯端末から装着可能とされた第１情報保持手段に保持されている電話番号と優先順位を示す情報又は該第１携帯端末固有の固有情報とが通知されるステップと、
前記無線回線を介してネットワークに接続される第２携帯端末から装着可能とされた第２情報保持手段に保持されている同一の前記電話番号と優先順位を示す情報又は該第２携帯端末固有の固有情報とが通知されるステップと、
前記ネットワークに接続される端末情報管理装置により、前記第１及び第２第携帯端末から前記電話番号と優先順位を示す情報又は固有情報との通知を受け取ると、前記第１及び第２携帯端末の優先順位を前記優先順位を示す情報又は前記固有情報に関連付けられた優先順位を示す情報から判定し、優先順位の高い前記第１又は第２携帯端末の前記無線回線の無線リンクを確立させるステップとを有する
ことを特徴とする携帯端末管理方法。
【請求項１４】
前記第１及び第２携帯端末からの電話番号と優先順位を示す情報又は固有情報とが通知されると、これらの情報が記憶されるステップと、
前記記憶された優先順位を示す情報又は固有情報に関連付けられる優先順位を示す情報から判定された優先順位の高い前記第１又は第２携帯端末の位置情報が登録されるステップとを有し、
前記第１又は第２携帯端末の呼び出しの際に前記位置登録手段に登録された位置情報が参照される
ことを特徴とする請求項１１に記載の携帯端末管理方法。
【発明の詳細な説明】
【技術分野】
【０００１】
本発明は、複数の携帯端末を利用する場合に適した携帯端末管理システム、携帯端末及び携帯電話管理方法に関する。
【背景技術】
【０００２】
従来より、複数の携帯端末である携帯電話を利用する場合、複数の回線を契約するか、あるいはＩＣカードを差し替えるかのいずれかが必要である。ここで、ＩＣカードには、ＳＩＭ（Ｓｕｂｓｃｒｉｂｅｒ  Ｉｄｅｎｔｉｆｙ  Ｍｏｄｕｌｅ）カードやＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カード等がある。
【０００３】
ＳＩＭカードは、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）サービスに加入すると発行され、ＧＳＭ方式の携帯電話にセットして使用する。ＳＩＭカードには、加入者や電話会社の情報が記録されており、ＧＳＭ方式の携帯電話はこのＳＩＭカードをセットして初めて使用できるという仕組みになっている。
【０００４】
また、ＵＳＩＭカードは、ＶＧＳ（Ｖｏｄａｆｏｎｅ  Ｇｌｏｂａｌ  Ｓｔａｎｄａｒｄ）サービス等に加入すると発行され、ＶＧＳ方式等の携帯電話にセットして使用する。ＵＳＩＭカードには、ユーザの電話番号や契約している携帯電話事業者の情報等が記録されており、ＶＧＳ方式等の携帯電話はこのＵＳＩＭカードをセットして初めて使用できるという仕組みになっている。
【０００５】
このような複数の携帯電話を利用するものとして、特許文献１では、ＷＳＩＭがＭＳのＢＴＩＦとＢＴ（Ｂｌｕｅ  Ｔｏｏｔｈ）方式による無線インタフェースを介して接続され、ＷＳＩＭ４０内部の加入者ＩＤメモリに記憶された加入者ＩＤ情報を、無線を介して授受するようにした移動通信端末を提案している。
【０００６】
また、特許文献２では、複数機種の移動送受信機を同時に接続可能とし、接続された移動送受信機のいずれの機種を使用して送受信するかの送受信設定を、移動送受信機の機種間で定まる優先順に従って自動的に行う構成とし、この構成によって、設定画面による移動送受信機の機種設定を不要とすると共に、同時に接続される複数種の移動送受信機から送受信に使用する機種を自動設定するようにした情報携帯端末を提案している。
【特許文献１】特開２００２−７８０１４号公報
【特許文献２】特開２００３−３２３８６号公報
【発明の開示】
【発明が解決しようとする課題】
【０００７】
ところが、上述した特許文献１に示されている移動通信端末では、加入者ＩＤの書き込まれたＳＩＭの着脱を不要とし、かつ、加入者が保有する複数の移動通信端末で自由に使い分けができるが、複数の携帯端末からの同一電話番号によるアクセス制御を行うことができないという問題があった。
【０００８】
また、上述した特許文献２に示されている情報携帯端末では、設定画面による移動送受信機の機種設定を不要とし、同時に接続される複数種の移動送受信機から送受信に使用する機種を自動設定することができるが、上記同様に、複数の携帯端末からの同一電話番号によるアクセス制御を行うことができないという問題があった。
【０００９】
本発明は、このような状況に鑑みてなされたものであり、上記問題点を解決することができる携帯端末管理システム、携帯端末及び携帯電話管理方法を提供することを目的とする。
【課題を解決するための手段】
【００１０】
本発明の携帯端末管理システムは、複数の携帯端末の通信を管理する携帯端末管理システムであって、無線回線を介してネットワークに接続される第１及び第２携帯端末と、前記ネットワークに接続され、前記第１及び第２携帯端末のいずれか一方の前記無線回線の無線リンクを確立させる端末情報管理装置とを備え、前記第１携帯端末は、電話番号と優先順位を示す情報とが保持された第１情報保持手段が装着可能とされ、前記第２携帯端末は、同一の前記電話番号と優先順位を示す情報とが保持された第２情報保持手段が装着可能とされ、前記端末情報管理装置は、前記第１及び第２携帯端末から前記電話番号と優先順位を示す情報との通知を受け取ると、前記第１及び第２携帯端末の優先順位を前記優先順位を示す情報から判定し、優先順位の高い前記第１又は第２携帯端末の前記無線回線の無線リンクを確立させる制御手段を有することを特徴とする。
また、前記端末情報管理装置は、前記第１及び第２携帯端末からの電話番号と優先順位を示す情報とが通知されると、これらの情報が記憶される記憶手段と、前記制御手段により、前記記憶手段に記憶された優先順位を示す情報から判定された優先順位の高い前記第１又は第２携帯端末の位置情報が登録される位置登録手段とを有し、前記第１又は第２携帯端末の呼び出しの際に前記位置登録手段に登録された位置情報が参照されるようにすることができる。
また、複数の携帯端末の通信を管理する携帯端末管理システムであって、無線回線を介してネットワークに接続される第１及び第２携帯端末と、前記ネットワークに接続され、前記第１及び第２携帯端末のいずれか一方の前記無線回線の無線リンクを確立させる端末情報管理装置とを備え、前記第１携帯端末は、電話番号と該第１携帯端末固有の固有情報とが保持された第１情報保持手段が装着可能とされ、前記第２携帯端末は、同一の前記電話番号と該第２携帯端末固有の固有情報とが保持された第２情報保持手段が装着可能とされ、前記端末情報管理装置は、前記第１及び第２携帯端末から前記電話番号と固有情報との通知を受け取ると、前記第１及び第２携帯端末の優先順位を前記固有情報に関連付けられた優先順位から判定し、優先順位の高い前記第１又は第２携帯端末の前記無線回線の無線リンクを確立させる制御手段を有することを特徴とする。
また、前記端末情報管理装置は、前記第１及び第２携帯端末からの電話番号と固有情報とが通知されると、これらの情報が記憶される記憶手段と、前記制御手段により、前記記憶手段に記憶された固有情報に関連付けられる優先順位から判定された優先順位の高い前記第１又は第２携帯端末の位置情報が登録される位置登録手段とを有し、前記第１又は第２携帯端末の呼び出しの際に前記位置登録手段に登録された位置情報が参照されるようにすることができる。
本発明の携帯端末管理システムは、複数の携帯端末の通信を管理する携帯端末管理システムであって、無線回線を介してネットワークに接続される第１及び第２携帯端末と、前記ネットワークに接続され、前記第１及び第２携帯端末のいずれか一方の前記無線回線の無線リンクを確立させる端末情報管理装置とを備え、前記第１携帯端末は、電話番号と優先順位を示す情報又は該第１携帯端末固有の固有情報とが保持された第１情報保持手段が装着可能とされ、前記第２携帯端末は、同一の前記電話番号と優先順位を示す情報又は該第２携帯端末固有の固有情報とが保持された第２情報保持手段が装着可能とされ、前記端末情報管理装置は、前記第１及び第２携帯端末から前記電話番号と優先順位を示す情報又は固有情報との通知を受け取ると、前記第１及び第２携帯端末の優先順位を前記優先順位を示す情報又は前記固有情報に関連付けられた優先順位から判定し、優先順位の高い前記第１又は第２携帯端末の前記無線回線の無線リンクを確立させる制御手段を有することを特徴とする。
また、前記端末情報管理装置は、前記第１及び第２携帯端末からの電話番号と優先順位を示す情報又は固有情報とが通知されると、これらの情報が記憶される記憶手段と、前記制御手段により、前記記憶手段に記憶された優先順位を示す情報又は固有情報に関連付けられる優先順位から判定された優先順位の高い前記第１又は第２携帯端末の位置情報が登録される位置登録手段とを有し、前記第１又は第２携帯端末の呼び出しの際に前記位置登録手段に登録された位置情報が参照されるようにすることができる。
また、前記第１及び第２携帯端末は、２台以上であることを特徴とする。
本発明の携帯端末は、通信を管理する携帯端末管理システムに接続される携帯端末であって、無線回線を介してネットワークに接続され、電話番号と優先順位を示す情報又は携帯端末固有の固有情報とが保持される情報保持手段が装着可能とされていることを特徴とする。
本発明の携帯端末管理方法は、複数の携帯端末の通信を管理する携帯端末管理方法であって、無線回線を介してネットワークに接続される第１携帯端末から装着可能とされた第１情報保持手段に保持されている電話番号と優先順位を示す情報とが通知されるステップと、前記無線回線を介してネットワークに接続される第２携帯端末から装着可能とされた第２情報保持手段に保持されている同一の前記電話番号と優先順位を示す情報とが通知されるステップと、前記ネットワークに接続される端末情報管理装置により、前記第１及び第２第携帯端末から前記電話番号と優先順位を示す情報との通知を受け取ると、前記第１及び第２携帯端末の優先順位を前記優先順位を示す情報から判定し、優先順位の高い前記第１又は第２携帯端末の前記無線回線の無線リンクを確立させるステップとを有することを特徴とする。
また、前記第１及び第２携帯端末からの電話番号と優先順位を示す情報とが通知されると、これらの情報が記憶されるステップと、前記記憶された優先順位を示す情報から判定された優先順位の高い前記第１又は第２携帯端末の位置情報が登録されるステップとを有し、前記第１又は第２携帯端末の呼び出しの際に前記登録された位置情報が参照されるようにすることができる。
本発明の携帯端末管理方法は、複数の携帯端末の通信を管理する携帯端末管理方法であって、無線回線を介してネットワークに接続される第１携帯端末から装着可能とされた第１情報保持手段に保持されている電話番号と該第１携帯端末固有の固有情報とが通知されるステップと、前記無線回線を介してネットワークに接続される第２携帯端末から装着可能とされた第２情報保持手段に保持されている同一の前記電話番号と該第２携帯端末固有の固有情報とが通知されるステップと、前記ネットワークに接続される端末情報管理装置により、前記第１及び第２第携帯端末から前記電話番号と固有情報との通知を受け取ると、前記第１及び第２携帯端末の優先順位を前記固有情報に関連付けられた優先順位を示す情報から判定し、優先順位の高い前記第１又は第２携帯端末の前記無線回線の無線リンクを確立させるステップとを有することを特徴とする。
また、前記第１及び第２携帯端末からの電話番号と固有情報とが通知されると、これらの情報が記憶されるステップと、前記記憶された固有情報に関連付けられる優先順位を示す情報から判定された優先順位の高い前記第１又は第２携帯端末の位置情報が登録されるステップとを有し、前記第１又は第２携帯端末の呼び出しの際に前記位置登録手段に登録された位置情報が参照されるようにすることができる。
本発明の携帯端末管理方法は、複数の携帯端末の通信を管理する携帯端末管理方法であって、無線回線を介してネットワークに接続される第１携帯端末から装着可能とされた第１情報保持手段に保持されている電話番号と優先順位を示す情報又は該第１携帯端末固有の固有情報とが通知されるステップと、前記無線回線を介してネットワークに接続される第２携帯端末から装着可能とされた第２情報保持手段に保持されている同一の前記電話番号と優先順位を示す情報又は該第２携帯端末固有の固有情報とが通知されるステップと、前記ネットワークに接続される端末情報管理装置により、前記第１及び第２第携帯端末から前記電話番号と優先順位を示す情報又は固有情報との通知を受け取ると、前記第１及び第２携帯端末の優先順位を前記優先順位を示す情報又は前記固有情報に関連付けられた優先順位を示す情報から判定し、優先順位の高い前記第１又は第２携帯端末の前記無線回線の無線リンクを確立させるステップとを有することを特徴とする。
また、前記第１及び第２携帯端末からの電話番号と優先順位を示す情報又は固有情報とが通知されると、これらの情報が記憶されるステップと、前記記憶された優先順位を示す情報又は固有情報に関連付けられる優先順位を示す情報から判定された優先順位の高い前記第１又は第２携帯端末の位置情報が登録されるステップとを有し、前記第１又は第２携帯端末の呼び出しの際に前記位置登録手段に登録された位置情報が参照されるようにすることができる。
本発明の携帯端末管理システム、携帯端末及び携帯電話管理方法では、第１及び第２携帯端末から電話番号と優先順位を示す情報、又は電話番号と固有情報との通知を受け取ると、前記第１及び第２携帯端末の優先順位が、優先順位を示す情報、又は固有情報に関連付けられた優先順位を示す情報から判定され、優先順位の高い第１又は第２携帯端末の無線回線の無線リンクが確立されることで、同一電話番号を有する複数の携帯端末が排他的に利用される。
【発明の効果】
【００１１】
本発明の携帯端末管理システム、携帯端末及び携帯電話管理方法によれば、同一電話番号を有する複数の携帯端末が排他的に利用されるようにしたので、同一電話番号による複数の携帯端末のアクセス制御を行うことができる。
【発明を実施するための最良の形態】
【００１２】
本実施形態では、携帯電話１００の制御手段１０２により、ＩＣカード１０３に保持されている電話番号（例：＃０１）や優先順位（例：２）が無線通信手段１０１より、ワイヤレスアクセスネットワーク１３０及びネットワーク１４０を経由して、端末情報管理装置１２０の位置登録手段１２３に通知されると、記憶手段１２１に通知を受けた電話番号と優先順位とが記憶される。
【００１３】
ここで、携帯電話１００と同一電話番号を有する携帯電話１１０の制御手段１１２により、ＩＣカード１１３に保持されている電話番号（例：＃０１）や優先順位（例：１）が無線通信手段１１１より、ワイヤレスアクセスネットワーク１３０及びネットワーク１４０を経由して、端末情報管理装置１２０の位置登録手段１２３に通知されると、記憶手段１２１に通知を受けた電話番号と優先順位とが記憶される。このとき、制御手段１２２により、記憶手段１２１に同一の電話番号がすでに登録されていると判断され、携帯電話１００と新規に登録された携帯電話１１０との優先順位が比較される。これにより、優先順位が高い携帯電話１１０との無線リンク１３２が確立され、優先順位の低い携帯電話１００との無線リンク１３１が確立されないようにした。
【実施例】
【００１４】
以下、本発明の実施例の詳細について説明する。
【００１５】
（実施例１）
図１は、本発明の携帯端末管理システムの実施例１を示す図である。同図に示すように、携帯端末管理システムは、ワイヤレスアクセスネットワーク１３０を介してネットワーク１４０に接続される携帯電話１００，１１０と、ネットワーク１４０に接続される端末情報管理装置１２０とを備えている。
【００１６】
携帯電話１００，１１０は、無線通信手段１０１，１１１と、制御手段１０２，１１２と、ＩＣカード１０３，１１３とを備えている。無線通信手段１０１，１１１は、ワイヤレスアクセスネットワーク１３０の後述の無線通信手段１３３，１３４と無線リンク１３１，１３２とを接続可能状態とする。
【００１７】
制御手段１０２，１１２は、無線通信手段１０１，１１１の制御と、ＩＣカード１０３，１１３の読み出し制御とを行う。ＩＣカード１０３，１１３は、携帯電話１００，１１０に装着可能とされるものである。ＩＣカード１０３，１１３には、電話番号や優先順位の情報が保持される。すなわち、ＩＣカード１０３，１１３には、同一の電話番号と異なる優先順位とが保持されることになる。
【００１８】
端末情報管理装置１２０は、記憶手段１２１と、制御手段１２２と、位置登録手段１２３とを備えている。記憶手段１２１には、携帯電話１００，１１０の電話番号や優先順位が記憶される。制御手段１２２は、記憶手段１２１に記憶された優先順位から、無線接続を許可する携帯電話１００又は携帯電話１１０の判断を行い、位置登録手段１２３に記録する。位置登録手段１２３には、携帯電話１００又は携帯電話１１０の位置管理を行うための位置情報が登録される。この位置情報は、携帯電話１００又は携帯電話１１０の呼び出しの際に参照される。
【００１９】
次に、携帯端末管理方法について説明する。まず、図２に示すように、携帯電話１００により、ＩＣカード１０３から電話番号（例：＃０１）と優先順位（例：２）とが読み出されると（ステップＡ１）、その読み出された電話番号と優先順位とが端末情報管理装置１２０に通知される（ステップＡ２）。
【００２０】
このとき、端末情報管理装置１２０により、通知された電話番号と優先順位とが登録されると（ステップＡ３）、無線リンク１３１が確立され、携帯電話１００と端末情報管理装置１２０とが接続可能とされる（ステップＡ４）。
【００２１】
ここで、携帯電話１１０にＩＣカード１１３が挿入され（ステップＡ５）、ＩＣカード１１３から電話番号（例：＃０１）と優先順位（例：１）とが読み出されて（ステップＡ６）、その電話番号と優先順位とが端末情報管理装置１２０に通知されると（ステップＡ７）、端末情報管理装置１２０により、通知された電話番号と優先順位とが登録される（ステップＡ８）。
【００２２】
このとき、同一の電話番号がすでに登録されているため、端末情報管理装置１２０の制御手段１２２により電話番号と優先順位との判定が行われる（ステップＡ９）。この場合、携帯電話１１０は携帯電話１００より優先順位が高いと判定され、携帯電話１００と端末情報管理装置１２０とをつなぐ無線リンク１３１が接続不可能とされる（ステップＡ１０）。一方、携帯電話１１０は、無線リンク１３２が確立されることで、端末情報管理装置１２０との接続が可能とされる（ステップＡ１１）。
【００２３】
このように、本実施例では、端末情報管理装置１２０が第１携帯端末としての携帯電話１００と第２携帯端末としての携帯電話１１０から第１情報保持手段としてのＩＣカード１０３及び第２情報保持手段としてのＩＣカード１１３に保持されている電話番号と優先順位を示す情報との通知を受け取ると、携帯電話１００又は携帯電話１１０の優先順位を、優先順位を示す情報から判定し、優先順位の高い携帯電話１００又は携帯電話１１０の無線リンク１３１又は１３２のリンクを確立することで、同一電話番号を有する複数の携帯電話１００，１１０が排他的に利用されるようにした。
【００２４】
これにより、ＩＣカード１０３，１１３に優先順位を保持させるといった極めて簡単な構成により、同一電話番号の複数の携帯電話１００，１１０であっても優先順位に応じて無線接続の管理を行うことができる。
【００２５】
また、同一電話番号の複数の携帯電話１００，１１０であっても優先順位に応じて無線接続の管理が行われることで、優先順位の低い携帯電話１００の無線リンク１３１が確立された後に、優先順位の高い携帯電話１１０が出現したとき、優先順位の低い携帯電話１００の無線リンク１３１を接続不可能とし、優先順位の高い携帯電話１１０の無線リンク１３２を確実に確立させることができる。
【００２６】
また、優先順位の低い携帯電話１００はワイヤレスアクセスネットワーク１３０に接続不可能となるため、優先順位の高い携帯電話１１０を意図的に創出することで、携帯電話紛失時の無線利用を不可能とするといったことも実現することができる。
【００２７】
（実施例２）
図３は、図１の携帯端末管理システムの構成を変えた場合の実施例２を示す図である。同図に示すように、携帯端末管理システムは、ワイヤレスアクセスネットワーク３３０を介してネットワーク３４０接続される携帯電話３００，３１０と、ネットワーク３４０に接続される端末情報管理装置３２０とを備えている。
【００２８】
携帯電話３００，３１０は、無線通信手段３０１，３１１と、制御手段３０２，３１２と、ＩＣカード３０３，３１３とを備えている。無線通信手段３０１，３１１は、ワイヤレスアクセスネットワーク３３０の後述の無線通信手段３３３，３３４と無線リンク３３１，３３２とを接続可能状態とする。
【００２９】
制御手段３０２，３１２は、無線通信手段３０１，３１１の制御と、ＩＣカード３０３，３１３の制御とを行う。ＩＣカード３０３，３１３には、電話番号やＩＤ（固有番号）の情報が保持される。すなわち、ＩＣカード３０３，３１３には、同一の電話番号と異なるＩＤ（固有番号）とが保持されることになる。
【００３０】
端末情報管理装置３２０は、記憶手段３２１と、制御手段３２２と、位置登録手段３２３とを備えている。記憶手段３２１には、携帯電話３００，３１０の電話番号やＩＤ（固有番号）、さらにはＩＤ（固有番号）と関連付けられた優先順位が記憶が記憶される。制御手段３２２は、記憶手段３２１に記憶された優先順位から、無線接続を許可する携帯電話３００又は携帯電話３１０の判断を行い、位置登録手段３２３に記録する。位置登録手段３２３には、携帯電話３００又は携帯電話３１０の位置管理を行うための位置情報が登録される。この位置情報は、携帯電話３００又は携帯電話３１０の呼び出しの際に参照される。
【００３１】
次に、携帯端末管理方法について説明する。まず、図４に示すように、携帯電話３００により、ＩＣカード３０３から電話番号（例：＃０１）とＩＤ（例：１）とが読み出されると（ステップＢ１）、読み出された電話番号とＩＤとが端末情報管理装置３２０に通知される（ステップＢ２）。
【００３２】
このとき、端末情報管理装置３２０により、通知された電話番号とＩＤとが登録されると（ステップＢ３）、無線リンク３３１が確立され、携帯電話３００と端末情報管理装置３２０とが接続可能とされる（ステップＢ４）。
【００３３】
ここで、携帯電話３１０にＩＣカード３１３が挿入され（ステップＢ５）、ＩＣカード３１３から電話番号（例：＃０１）とＩＤ（例：２）とが読み出されて（ステップＢ６）、読み出された電話番号とＩＤとが端末情報管理装置３２０に通知されると（ステップＡ７）、端末情報管理装置３２０により、通知された電話番号とＩＤとが登録される（ステップＢ８）。
【００３４】
このとき、同一の電話番号がすでに登録されているため、端末情報管理装置３２０の制御手段３２２により、ＩＤと関連付けられた優先順位を用いて接続可否の判定が行われる（ステップＢ９）。
【００３５】
この場合、携帯電話３１０は携帯電話３００より優先順位が高いと判定され、携帯電話００と端末情報管理装置３２０とをつなぐ無線リンク３３１が接続不可能とされる（ステップＢ１０）。一方、携帯電話３１０は、無線リンク３３２が確立されることで、端末情報管理装置３２０との接続が可能とされる（ステップＢ１１）。
【００３６】
このように、実施例２では、端末情報管理装置３２０が携帯電話３００と携帯電話３１０からＩＣカード３０３及びＩＣカード３１３に保持されている電話番号と固有情報としてのＩＤ（固有番号）との通知を受け取ると、携帯電話３００又は携帯電話３１０の優先順位を、そのＩＤに関連づけられた優先順位を示す情報から判定し、優先順位の高い携帯電話３００又は携帯電話３１０の無線リンク３３１又は３３２の無線リンクを確立することで、同一電話番号を有する複数の携帯電話３００，３１０が排他的に利用されるようにした。
【００３７】
これにより、ＩＣカード１０３，１１３にＩＤ（固有番号）を保持させるといった極めて簡単な構成により、同一電話番号の複数の携帯電話３００，３１０であっても優先順位に応じて無線接続の管理を行うことができる。
【００３８】
また、ＩＣカード１０３，１１３にＩＤ（固有番号）を保持させるといった極めて簡単な構成であるため、端末情報管理装置３２０の記憶手段３２１にＩＤと関連付けられた優先順位を示す情報が記憶されていればよく、端末情報管理装置３２０側で優先順位の柔軟な変更が可能となる。
【産業上の利用可能性】
【００３９】
携帯電話に限らず、通信機能を有するパソコンやＰＤＡ等の端末での通信システムにも適用可能である。
【図面の簡単な説明】
【００４０】
【図１】本発明の携帯端末管理システムの実施例１を示す図である。
【図２】図１の携帯端末管理システムにおける携帯端末管理方法を説明するためのタイムチャートである。
【図３】図１の携帯端末管理システムの構成を変えた場合の実施例２を示す図である。
【図４】図３の携帯端末管理システムにおける携帯端末管理方法を説明するためのタイムチャートである。
【符号の説明】
【００４１】
１００，１１０  携帯電話（第１及び第２携帯端末）
１０１，１１１  無線通信手段
１０２，１１２  制御手段
１０３，１１３  ＩＣカード
１２０  端末情報管理装置
１２１  記憶手段
１２２  制御手段
１２３  位置登録手段
１３０  ワイヤレスアクセスネットワーク
１３１，１３２  無線リンク
１３３，１３４  無線通信手段
１４０  ネットワーク
３００，３１０  携帯電話（第１及び第２携帯端末）
３０１，３１１  無線通信手段
３０２，３１２  制御手段
３０３，３１３  ＩＣカード
３２０  端末情報管理装置
３２１  記憶手段
３２２  制御手段
３２３  位置登録手段
３３０  ワイヤレスアクセスネットワーク
３３１，３３２  無線リンク
３３３，３３４  無線通信手段
３４０  ネットワーク
【図１】
2007243860.tif 000003
【図２】
2007243860.tif 000004
【図３】
2007243860.tif 000005
【図４】
2007243860.tif 000006